(57)【要約】【課題】コネクタの接触不良を防止するカメラモジュール用コネクタを提供する。【解決手段】  固体撮像素子と、該固体撮像素子に光を導くレンズを有するレンズユニットと、該固体撮像素子が保持されるとともに該レンズと固体撮像素子の距離が所定のフォーカス距離になるように取り付けられるレンズホルダを有するカメラモジュール１２をシールドケースで被覆したコネクタボックス２３に収納接続し係止部材により係止するカメラモジュール用コネクタ２０において、中央部にレンズユニットより大きい開口部２１ａを有し、開口部の各内縁に沿って突設した板バネ状の弾性部材２２、２２…と、シールドケース２４の周側面の両側に形成した係合部２５、２５と係合する係合孔２７、２７を有する両側板２１ｂ、２１ｂを有し断面形状を逆Ｕの字形に形成した、係合時に各弾性部材の弾性力によりカメラモジュール本体を底面に向け押圧する押圧部材２１を備えたものである。【選択図】  図２
2005073130.tif 000002
【特許請求の範囲】
【請求項１】
固体撮像素子と、該固体撮像素子に光を導くレンズを有するレンズユニットと、該固体撮像素子が保持されるとともに、該レンズと固体撮像素子の距離が所定のフォーカス距離に調整され取り付けられるレンズホルダを有するカメラモジュールを、シールドケースにより被覆されるコネクタボックスに収納し係止部材により係止するカメラモジュール用コネクタにおいて、
上面形状が前記シールドケースと略同じ大きさで中央部に前記レンズユニットより大きい開口部を有し、前記開口部の各内縁に沿って突設した板バネ状の弾性部材と、前記シールドケースの周側面に形成した係合部と係合する係合孔が開穿された両側板を有して正面視逆Ｕ字形状に形成し、前記シールドケースに係合時に前記各弾性部材の弾性力により前記カメラモジュール本体を底面に押圧する押圧部材を備えたことを特徴とするカメラモジュール用コネクタ。
【請求項２】
固体撮像素子と、該固体撮像素子に光を導くレンズを有するレンズユニットと、該固体撮像素子が保持されるとともに、該レンズと固体撮像素子の距離が所定のフォーカス距離に調整され取付けられるレンズホルダを有するカメラモジュールを、シールドケースにより被覆されるコネクタボックスに収納し係止部材により係止するカメラモジュール用コネクタにおいて、
前記シールドケースの対角線上コーナーの位置に、夫々長さが前記シールドケースの一辺の長さに略等しく断面形状がＬ字形に前記シールドケースの一部としてポール状に立設され、夫々のレンズユニット側に沿って弾性部材を突設し、先端部に前記シールドケースの係合部に係合する係合部材を形成して、前記カメラモジュール組立て後に基端より折曲し前記シールドケース側面に係合・密着させて前記弾性部材が前記カメラモジュール本体を底面に押圧する押圧部材を備えたことを特徴とするカメラモジュール用コネクタ。
【発明の詳細な説明】
【技術分野】
【０００１】
本発明は、固体撮像素子を有するカメラモジュール用コネクタに関し、特に、カメラモジュールの接続を安定化するカメラモジュール用コネクタに関するものである。
【背景技術】
【０００２】
従来のＣＭＯＳカメラモジュールは、図５に示すカメラモジュールの外観図のように、カメラモジュール１はレンズホルダ３を有し、レンズホルダ３は略長方体形状をしたホルダーベース４と、ホルダーベース４の上面の中央部に設けられ、略中空円筒形状をしたレンズ接合部５とを有している。内部にはホルダベース４よりも小さい長方体形状のＣＭＯＳ等の固体撮像素子で構成されるセンサ６を収容している。又、レンズユニット２はレンズホルダ３のレンズ接合部５の外径と略同一の外径の略円筒形状をしており、ネジ型のはめこみ方式によってレンズホルダ３に接合するようになっている。
【０００３】
このカメラモジュール１は、先ず、レンズホルダ３の内部にセンサ６を接着固定して、レンズユニット２をレンズホルダ３の接合部５へ螺合しフオーカスを調整して接着剤を流し込みレンズユニット２をレンズホルダ３に固定する。なお、レンズホルダ３の接合部５上に形成された突起８、８…は後から形成されて、シールドキャップ７を圧着固定しシールドを強化するものであるが、後述するようにカメラモジュール用コネクタを使用する場合は、全体がシールドケースでシールドされるので、シールドキャップ７は無くても構わない。（例えば、特許文献１参照）
特許文献１に示すカメラモジュールは、コネクタの部分が省略されているが、図６にカメラモジュールを収納した従来のカメラモジュール用コネクタの１例を示す。該カメラモジュール用コネクタ１１は、図７（ａ）に示すようなコネクタピン１５ａ、１５ｂが装着されたコネクタボックス１３を、図７（ｂ）に示すようなシールドケース１４で被覆し電磁シールドを行い一体化して構成されている。この中にカメラモジュール１２が収納され固着される。
【０００４】
このように構成された従来のカメラモジュール用コネクタ１１は、図８のように、コネクタボックス１３と収納されるカメラモジュール１２のピン１５ｂ、コンタクト１６が接続するように構成され、ロック機構としてはランス（可動接片）１７による嵌め殺し方式により係止・固定される。即ち、該カメラモジュール用コネクタ１１の端子がカメラモジュール用基板（図示せず）に実装され、該カメラモジュール１２が収納されて、携帯電話機（図示せず）等に組込まれるが、その場合に外部からの衝撃等によってカメラモジュールが外れたりすることがないよう開閉できないように完全ロックされている。
【特許文献１】特開２００３−１７２８５９号公報（第３、４頁、図１）
【発明の開示】
【発明が解決しようとする課題】
【０００５】
しかしながら、上記従来のカメラモジュール用コネクタは、図８に示すように、ランス（可動接片）１７による嵌め殺し方式（開閉不可の状態）で係止・固定されているために、両者間の左右（水平）方向の間隙は完全に塞がれ固定されるが、上下（高さ）方向の間隙は構造上から埋められず、それが原因となってカメラモジュール１２の上下動が発生し、ピン１５ｂとコンタクト１６の接続不良の状態が発生しやすくなり、鮮明な画像の撮像および画像転送ができなくなるという問題があった。
【０００６】
そこで、カメラモジュールをコネクタ側に係止・固定する際に、上下方向の間隙に基因して生じる上下動をなくして生産性の向上を計るために解決すべき技術的課題が生じてくるものであり、本発明はこの課題を解決することを目的とする。
【課題を解決するための手段】
【０００７】
本発明は上記目的を達成するために提案されたものであり、請求項１に記載の発明は、固体撮像素子と、該固体撮像素子に光を導くレンズを有するレンズユニットと、該固体撮像素子が保持されるとともに、該レンズと固体撮像素子の距離が所定のフォーカス距離に調整され取り付けられるレンズホルダを有するカメラモジュールを、シールドケースにより被覆されるコネクタボックスに収納し係止部材により係止するカメラモジュール用コネクタにおいて、形状が前記シールドケースと略同じ大きさで中央部に前記レンズユニットより大きい開口部を有し、前記開口部の各内縁に沿って形成した板バネ状の弾性部材と、前記シールドケースの周側面に形成した係合部と係合する係合孔が開穿された両側板を有して正面視逆Ｕ字形状に形成し、前記シールドケースに係合時に前記各弾性部材の弾性力により前記カメラモジュール本体を底面に押圧する押圧部材を備えたカメラモジュール用コネクタを提供するものである。
また、請求項２に記載の発明は、固体撮像素子と、該固体撮像素子に光を導くレンズを有するレンズユニットと、該固体撮像素子が保持されるとともに、該レンズと固体撮像素子の距離が所定のフォーカス距離に調整され取付けられるレンズホルダを有するカメラモジュールを、シールドケースにより被覆されるコネクタボックスに収納し係止部材により係止するカメラモジュール用コネクタにおいて、前記シールドケースの対角線上コーナーの位置に、夫々長さが前記シールドケースの一辺の長さに略等しく断面形状がＬ字形に前記シールドケースの一部としてポール状に立設され、夫々のレンズユニット側に沿って弾性部材を形成し、先端部に前記シールドケースの係合部に係合する係合部材を形成して、前記カメラモジュール組立て後に基端より折曲し前記シールドケース側面に係合・密着させて前記弾性部材が前記カメラモジュール本体を底面に押圧する押圧部材を備えたカメラモジュール用コネクタを提供するものである。
【０００８】
而して、本発明のカメラモジュール用コネクタは、コネクタボックスにシールドケースを被覆して形成したカメラモジュール用コネクタのシールドケース１４の周側面に係合部突起を形成し、該係合部突起に係合する係合孔を両側面に開孔して追加部品として作成され天面に開口部を有し該開口部の各内縁に夫々複数の板バネ状の弾性部材を形成した正面視逆Ｕ字形状の押圧部材を、シールドケースに被せて係合したので、開口部内縁に形成した複数の板バネがカメラモジュールを均等に押圧し底面に向け押付けるので、両者間の上下の間隙は完全に塞がれ密着してピンとコンタクトの接続を良好な状態に保持できる。
【０００９】
あるいは、押圧部材をシールドケースと同一部材を利用して、天面の対角線上コーナーにポール状に立設された断面Ｌ字形状の押圧部材を形成し、組立て時に基端から折曲してシールドケースの周側面に係合させ取付けることにより、板バネがカメラモジュールを平均に押圧して底面に押付けるので、両者間の上下の間隙は完全に塞がれ、簡単な構造によってピンとコンタクトの接続を良好な状態に保持できる。
【発明の効果】
【００１０】
本願の請求項１記載の発明は、カメラモジュール用コネクタ本体の両側面に形成した係合部に係合し、且つ、カメラモジュール用コネクタに被覆・密着させる押圧部材を別部品として付加し、該押圧部材は開口部内縁に形成した複数の板バネによりカメラモジュールを底面に押圧するように構成したので、両者間の上下（高さ）方向の間隙が塞がれ、カメラモジュールの位置が安定して該カメラモジュール用コネクタの上下動が抑止されることになり、コネクタ機構のピンとコンタクトの接続が良好な状態を保持でき、常に鮮明な撮像画像が得られるという利点がある。
また、請求項２記載の発明は、前記押圧部材を別部品ではなく、シールドケースの一部を併用してポール状に立設した簡単な構造としたので、請求項１の効果に加えて、製造工数と部品コストの削減が可能になり、カメラモジュールの更なる軽量・小型化を図ることを可能にするものであって、小型のカメラモジュール用に最適な機構を提供できる。
【発明を実施するための最良の形態】
【００１１】
以下、本発明の一実施の形態を図１、図２に従って詳述する。
図１は、本発明の第１の実施の形態に係るカメラモジュール用コネクタの全体斜視図である。
【００１２】
図２は図１に示すカメラモジュール用コネクタの組立分解斜視図である。
【００１３】
図１及び図２に示すカメラモジュール用コネクタ２０は、コネクタピン２６、２６…を装着したコネクタボックス２３に、金属材より成るシールドケース２４を被覆し、該シールドケース２４の周側面に設けられた突起状の係合部２５、２５に、押圧部材２１両側板２１ｂ、２１ｂに開孔された係合孔２７、２７が係合されて前記シールドケース２４に該押圧部材２１が被嵌されて構成されている。
【００１４】
而して、前記押圧部材２１はコネクタボックス２３に対応する形状に、例えば、プレス加工等の手段によって成形される。即ち、全体が正面視逆Ｕ字状に形成され、そして、両側板２１ｂ、２１ｂには係合孔２７、２７が開穿されている。又、該押圧部材２１の天板内を大きく開穿されて開口部２１ａが設けられており、更に、該開口部２１ａの内縁に沿って板バネ２２、２２…が延設されている。なお、図示例では該板バネ２２、２２…は四方四枚に図示されているが、これに限定されるものではなく、枚数は適宜変更できるものとする。例えば、枚数を増加させることにより、更に該押圧部材２１の下方への押圧力が増加して前記カメラモジュール１２を抑える力が増して、上述のカメラモジュール１２のガタが正確に抑制できる。
【００１５】
而して、該カメラモジュール用コネクタ２０の端子をカメラモジュール用基板（図示せず）に実装する際に、前記コネクタボックス２３内にカメラモジュール１２を収納し、コネクタボックス２３のピン２６、２６…とカメラモジュール１２の接点（図示せず）を接続し、該押圧部材２１を前記コネクタボックス２３を被覆シールドしている前記シールドケース２４に被嵌する際には、前記レンズユニット（図５参照）を開口部２１ａから突出させながら、前記シールドケース２４の係合部突起２５、２５に、該押圧部材２１の両側板２１ｂ、２１ｂに開孔された係合孔２７、２７を係合させ、該押圧部材２１を前記シールドケース２４に被嵌させる。これによって、前記カメラモジュール１２のレンズホールダー本体（図５参照）が該板バネ２２、２２…により底面に向け押付けられるので、該カメラモジュール１２とコネクタボックス２３の端子同志の接触が強固になりガタが無くなって安定する。また、該カメラモジュール１２に加わる押圧力も一方向ではなく複数の板バネ２２、２２…により面均等に押圧されるので、該カメラモジュールの位置も安定になり、強固で良好な接触状態が保持される。依って、ＣＭＯＳ等の撮像素子からの撮像画像データが失われたり、劣化することが無いので、鮮明な画像撮像と画像転送が可能になる。
【００１６】
また、この場合の前記カメラモジュール１２とカメラモジュール用コネクタ２０のロック機構としての該押圧部材２１は、シールドケース２４の係合部突起２５、２５と、該押圧部材２１の係合孔２７、２７の係合により双方が強固に圧接・密着されるので、該カメラモジュール用コネクタ２０からカメラモジュール１２が簡単に外れるようなことは無く、且つ、完全ロックではないので実装工程等においてカメラモジュールの不良が発見されたような場合には、押圧部材２１を外して部品交換を行うことも可能になる。
【００１７】
次に、本発明の第２の実施の形態について図３、図４に従って詳述する。
【００１８】
図３は本発明の第２の実施の形態に係るカメラモジュール用コネクタの全体斜視図である。
【００１９】
図４は図３に示すカメラモジュール用コネクタの組立分解斜視図である。
【００２０】
図３及び図４に示すカメラモジュール用コネクタ３０は、コネクタピン２６、２６…を備えたコネクタボックス２３をシールドケース３１により被覆・シールドし、該シールドケース３１と同一部材を対角線コーナにポール状に立設し内側に板バネ３３、３３を突設して成形した押圧部材３２、３２を前記シールドケース３１の周側面に重ねて密接・固定されるように折曲させて構成している。
【００２１】
即ち、該押圧部材３２、３２は、本体が前記シールドケース３１の一部を利用して対角線のコーナ上にポール状に立設され、該押圧部材３２、３２の内側に沿って板バネ３３、３３か突設され、該押圧部材３２、３２の先端には前記シールドケース３１の係合部３４、３４に係合する係合部材３５、３５が形成されている。（なお、板バネ３３、３３の枚数については図示例では２枚であるが、これに限定されず、枚数を増やして押圧力を増加させることも可能である）。
【００２２】
而して該押圧部材３２、３２を前記板バネ３３、３３の部分と、前記シールドケース側面３１ａ、３１ａに密接する部分に略直角に折曲し、更に、基端からシールドケース側面３１ａ、３１ａ側に折曲することによって、前記シールドケース３１の係合部３４、３４に前記押圧部材３２、３２の係合部材３５、３５が係合され前記シールドケース側面３１ａ、３１ａに該押圧部材３２、３２が密接・固着され、該板バネ３３、３３によって前記カメラモジュール１２のレンズホルダーのモールドケース本体（図５参照）が底面に向け押圧されるものである。
【００２３】
従って、コネクタボックス２３と一体化されているシールドケース３１と同一材により該押圧部材３２、３２が形成され、係合部３４、３４と係合部材３５、３５により係合されているので、該押圧部材３２、３２とシールドケース３１の連結が強固である。
【００２４】
また、該カメラモジュール用コネクタ３０をカメラモジュール用基板（図示せず）に実装する際に、該カメラモジュール用コネクタ３０に前記カメラモジュール１２を収納する場合のカメラモジュール１２とコネクタボックス２３のロック機構については、板バネ３３、３３によって両側からカメラモジュール１２を底面へ押しつけるので、前記カメラモジュール１２とカメラモジュール用コネクタ３０間のピンとコンタクトの接触状態が強固になり、カメラモジュール１２の固定位置も安定して動かなくなるので、良好な接触状態が保持され、鮮明な画像撮像や画像転送が可能になる。
【００２５】
また、該押圧部材３２、３２がシールドケース３１と同一部材で成形され、板バネ３３、３３により押圧するように構成されているので、工数、部品点数が削減され、最近のカメラモジュールの小型化の要請にも対応できるものであり、特に、小型のカメラモジュール用として最適である。また、押圧部材３２、３２を増やして押圧力を更に強固にすることも可能である。
【００２６】
尚、本発明は、本発明の精神を逸脱しない限り種々の改変を為すことができ、そして、本発明が該改変されたものに及ぶことは当然である。
【図面の簡単な説明】
【００２７】
【図１】本発明の第１の実施の形態に係るカメラモジュール用コネクタの全体斜視図
【図２】図１に示すカメラモジュール用コネクタの組立分解斜視図
【図３】本発明の第２の実施の形態に係るカメラモジュール用コネクタの全体斜視図
【図４】図３に示すカメラモジュール用コネクタの組立分解斜視図
【図５】従来のカメラモジュールの外観斜視図
【図６】従来のカメラモジュール用コネクタの全体斜視図
【図７】図６に示すカメラモジュール用コネクタの組立分解斜視図
【図８】図６に示すカメラモジュール用コネクタのロック機構を示す断面図
【符号の説明】
【００２８】
１２  カメラモジュール
２０、３０  カメラモジュール用コネクタ
２１、３２  押圧部材
２１ａ  開口部
２１ｂ  側板
２２、３３  板バネ
２３  コネクボックス
２４、３１  シールドケース
２５、３４  係合部
２６  ピン
２７  係合孔
３５  係合部材
【図１】
2005073130.tif 000003
【図２】
2005073130.tif 000004
【図３】
2005073130.tif 000005
【図４】
2005073130.tif 000006
【図５】
2005073130.tif 000007
【図６】
2005073130.tif 000008
【図７】
2005073130.tif 000009
【図８】
2005073130.tif 000010